(57)【要約】【課題】  高機能で耐久性の高いケーブル及びコネクタ付きケーブルを提供すること。【解決手段】  ケーブルは、芯線と、断面視で前記芯線を挟むように配設される一対の給電線と、断面視で前記芯線を挟むように配設されるとともに、前記一対の給電線と相接するように配置され、前記一対の給電線とともに前記芯線を囲む一対のダミー線と、前記一対の給電線と前記一対のダミー線との周囲に配設される４本の光ケーブルであって、断面視で各々が前記一対の給電線のうちの一方と前記一対のダミー線のうちの一方とに接するように、前記芯線を対称軸として軸対称に配設される４本の光ケーブルと、前記芯線、前記一対の給電線、前記一対のダミー線、及び前記４本の光ケーブルを覆う被覆部とを含む。【選択図】図１
2011228054.tif 000002
【特許請求の範囲】
【請求項１】
芯線と、
断面視で前記芯線を挟むように配設される一対の給電線と、
断面視で前記芯線を挟むように配設されるとともに、前記一対の給電線と相接するように配置され、前記一対の給電線とともに前記芯線を囲む一対のダミー線と、
前記一対の給電線と前記一対のダミー線との周囲に配設される４本の光ケーブルであって、断面視で各々が前記一対の給電線のうちの一方と前記一対のダミー線のうちの一方とに接するように、前記芯線を対称軸として軸対称に配設される４本の光ケーブルと、
前記芯線、前記一対の給電線、前記一対のダミー線、及び前記４本の光ケーブルを覆う被覆部と
を含む、ケーブル。
【請求項２】
前記芯線は、複数の線が撚られた撚り線である、請求項１に記載のケーブル。
【請求項３】
前記芯線は、接地電位に保持される、請求項１又は２に記載のケーブル。
【請求項４】
請求項１乃至３のいずれか一項に記載のケーブルと、
前記一対の給電線及び前記４本の光ケーブルに接続されるコネクタと
含む、コネクタ付きケーブル。
【発明の詳細な説明】
【技術分野】
【０００１】
本発明は、ケーブル及びコネクタ付きケーブルに関する。
【背景技術】
【０００２】
従来より、給電線と光ケーブルを含むケーブルがあった（例えば、特許文献１参照）。
【先行技術文献】
【特許文献】
【０００３】
【特許文献１】特開２００２−２３７２２６号公報
【発明の概要】
【発明が解決しようとする課題】
【０００４】
ところで、従来のケーブルは、光ケーブルが一対しかないため、使用形態によっては通信芯線数が足りない場合があった。また、使用形態によっては強度が不足する場合もあった。
【０００５】
そこで、本発明は、高機能で耐久性の高いケーブル及びコネクタ付きケーブルを提供することを目的とする。
【課題を解決するための手段】
【０００６】
本発明の一局面のケーブルは、芯線と、断面視で前記芯線を挟むように配設される一対の給電線と、断面視で前記芯線を挟むように配設されるとともに、前記一対の給電線と相接するように配置され、前記一対の給電線とともに前記芯線を囲む一対のダミー線と、前記一対の給電線と前記一対のダミー線との周囲に配設される４本の光ケーブルであって、断面視で各々が前記一対の給電線のうちの一方と前記一対のダミー線のうちの一方とに接するように、前記芯線を対称軸として軸対称に配設される４本の光ケーブルと、前記芯線、前記一対の給電線、前記一対のダミー線、及び前記４本の光ケーブルを覆う被覆部とを含む。
【０００７】
また、前記芯線は、複数の線が撚られた撚り線であってもよい。
【０００８】
また、前記芯線は、接地電位に保持されてもよい。
【０００９】
また、前記一対の給電線及び前記４本の光ケーブルに接続されるコネクタを更に含んでもよい。
【発明の効果】
【００１０】
本発明によれば、高機能で耐久性の高いケーブル及びコネクタ付きケーブルを提供できるという特有の効果が得られる。
【図面の簡単な説明】
【００１１】
【図１】実施の形態のケーブル及びコネクタ付きケーブルを示す斜視図である。
【図２】実施の形態のケーブルの断面構造を示す図である。
【発明を実施するための形態】
【００１２】
以下、本発明のケーブル及びコネクタ付きケーブルを適用した実施の形態について説明する。
【００１３】
図１は、実施の形態のケーブル及びコネクタ付きケーブルを示す斜視図である。
【００１４】
図２は、実施の形態のケーブルの断面構造を示す図である。
【００１５】
図１及び図２に示すように、本実施の形態のケーブル１００は、芯線１、一対の給電線２Ａ、２Ｂ、一対のダミー線３Ａ、３Ｂ、４本の光ケーブル４Ａ、４Ｂ、４Ｃ、４Ｄ、介在部５Ａ、５Ｂ、５Ｃ、５Ｄ、吸水テープ６、及び外被部７を含む。ケーブル１００には、図１に示すコネクタ２００が接続される。
【００１６】
芯線１は、鋼線を撚った鋼撚線である。図２に示すように、実施の形態の芯線１は、１９本の鋼線を含む。１９本の鋼線は、中心に位置する１本の鋼線の周囲に６本の鋼線が軸対称的に配置される。この６本の鋼線は、中央の１本の鋼線に対して同心円状に配置されており、各々が周方向に接するように配置されている。また、６本の鋼線の周囲には、１２本の鋼線が同心円状に配置されており、各々が周方向に接するように配置されている。
【００１７】
芯線１は、ケーブル１００に所定の強度を付与するためのテンションメンバとして機能する。芯線１の強度は、ケーブル１００の使用形態に応じて決定すればよい。例えば、芯線１に含まれる鋼線の本数及び配置は、中心から１本、６本、１２本の合計１９本の線を配置したものに限られず、他の本数の組み合わせでもよい。鋼線の本数と配置を換えることにより、芯線１の強度を変更することができる。また、芯線１は鋼撚線に限られないが、鋼撚線を用いることにより、軽量かつ高強度にすることができる。
【００１８】
なお、鋼撚線で構成される芯線１は、接地電位に保持してもよい。芯線１を接地電位に保持すると、芯線１と給電線２Ａ、２Ｂとの間の容量結合が芯線１及び給電線２Ａ、２Ｂの長手方向において均等化され、給電線２Ａ、２Ｂで伝送する電力又は電気信号のノイズが軽減される。
【００１９】
給電線２Ａ、２Ｂは、同一の構成であり、例えば、導電線の周囲をポリエチレン（ＰＥ）で被覆した電線である。図２には、７本の導電線を含む給電線２Ａ、２Ｂを示す。導電線は、例えば、銅製である。
【００２０】
給電線２Ａ、２Ｂが２本設けられているのは、例えば、高周波電力を伝送可能にするため、あるいは、正と負の対の電力又は電気信号を伝送可能にするためである。
【００２１】
給電線２Ａ、２Ｂは、断面視で芯線１の外周面に接し、かつ芯線１を挟むように配設される。給電線２Ａ、２Ｂの断面の大きさは、ダミー線３Ａ、３Ｂの断面の大きさと同一に設定されており、給電線２Ａ、２Ｂとダミー線３Ａ、３Ｂの４つの線で、芯線１を覆うように配設される。
【００２２】
ダミー線３Ａ、３Ｂは、一対の給電線２Ａ、２Ｂを含むケーブル１００の断面形状を整えるために設けられており、例えば、軽量な（糸製の）紐、あるいは樹脂製のケーブル状の部材で構成される。上述のように、ダミー線３Ａ、３Ｂの断面の大きさは、給電線２Ａ、２Ｂの断面の大きさと同一に設定されており、ダミー線３Ａ、３Ｂと給電線２Ａ、２Ｂの４つの線で、芯線１を覆うように配設される。すなわち、給電線２Ａ、２Ｂとダミー線３Ａ、３Ｂの４つの線は、隣同士で互いに接するとともに、４つの線の各々が芯線１の外周面に接している。
【００２３】
光ケーブル４Ａ、４Ｂ、４Ｃ、４Ｄは、給電線２Ａ、２Ｂとダミー線３Ａ、３Ｂとの周囲に４本配設される。光ケーブル４Ａ、４Ｂ、４Ｃ、４Ｄは、断面視で各々が給電線２Ａ、２Ｂのうちの一方とダミー線３Ａ、３Ｂのうちの一方とに接するように、芯線１を対称軸として軸対称に配設される。
【００２４】
光ケーブル４Ａ、４Ｂ、４Ｃ、４Ｄの各々は、コア及びクラッドを抗張力繊維と外被で覆ったものである。なお、抗張力繊維は、図２中にハッチングで示す部分であり、コア及びクラッドは、ハッチングで示す抗張力繊維の内側に位置する。外被は抗張力繊維の外側に示される部分である。
【００２５】
光ケーブル４Ａ、４Ｂ、４Ｃ、４Ｄは、例えば、光ケーブル４Ａと４Ｂ、光ケーブル４Ｃと４Ｄがそれぞれ対をなすように用いられ、光信号を伝送する。光信号としては、例えば、映像信号や制御信号等が挙げられる。
【００２６】
介在部５Ａ、５Ｂ、５Ｃ、５Ｄは、吸水テープ６で光ケーブル４Ａ、４Ｂ、４Ｃ、４Ｄを被覆する際に、断面が円状になるように形状を整えるために配設されている。図２に示すように、介在部５Ａ、５Ｂ、５Ｃ、５Ｄは、給電線２Ａ、２Ｂとダミー線３Ａ、３Ｂの４本の線のそれぞれの外側（ケーブル１００の径方向における外側）に配置される。介在部５Ａ、５Ｂ、５Ｃ、５Ｄは、例えば、糸製又は樹脂糸製の紐のように、軽量で断面形状が変形可能な部材であればよい。なお、説明の便宜上、図１では介在部５Ａ、５Ｂ、５Ｃ、５Ｄの図示を省いてある。
【００２７】
吸水テープ６は、芯線１、一対の給電線２Ａ、２Ｂ、一対のダミー線３Ａ、３Ｂ、４本の光ケーブル４Ａ、４Ｂ、４Ｃ、４Ｄ、介在部５Ａ、５Ｂ、５Ｃ、５Ｄを覆い、水分を吸収するテープ状の樹脂製の部材である。吸水テープ６は、例えば、光ケーブル４Ａ、４Ｂ、４Ｃ、４Ｄと介在部５Ａ、５Ｂ、５Ｃ、５Ｄの周囲に、長手方向において螺旋状に巻回される。
【００２８】
外被部７は、吸水テープ６の外側を覆う被覆であり、例えば、ポリ塩化ビニル（ＰＶＣ）又はポリエチレン（ＰＥ）を材料として形成される。外被部７は、ケーブル１００の外被となる。
【００２９】
なお、吸水テープ６及び外被部７は、芯線１、一対の給電線２Ａ、２Ｂ、一対のダミー線３Ａ、３Ｂ、介在部５Ａ、５Ｂ、５Ｃ、５Ｄ、及び４本の光ケーブル４Ａ、４Ｂ、４Ｃ、４Ｄを覆う被覆部である。
【００３０】
コネクタ２００は、本体部２１０と蓋部２２０を含む。本体部２１０には、ケーブル１００が嵌着され、給電線２Ａ、２Ｂと光ケーブル４Ａ、４Ｂ、４Ｃ、４Ｄは、本体２１０の内部で端子２１１に接続される。端子２１１は、６個あり、蓋部２２０に形成された６つの開口部に通される。
【００３１】
なお、芯線１を接地電位に保持する場合は、本体部２１０の端子２１１と蓋部２２０の開口部２２１をもう１つ追加すればよい。
【００３２】
以上、本実施の形態のケーブル１００は、鋼撚線で構成される芯線１、糸製又は樹脂糸製の紐で構成される介在部５Ａ、５Ｂ、５Ｃ、５Ｄ、樹脂製の吸水テープ６、及び、ポリ塩化ビニル又はポリエチレン製の外被部７を含むので、軽量にすることができる。
【００３３】
また、ケーブル１００は、鋼撚線で構成される芯線１を含むので、十分な強度も確保することができる。
【００３４】
また、ケーブル１００は、樹脂製の吸水テープ６とポリ塩化ビニル又はポリエチレン製の外被部７で覆われているので、十分な耐久性を確保することができる。
【００３５】
また、ケーブル１００は、一対の給電線２Ａ、２Ｂと、４本の光ケーブル４Ａ、４Ｂ、４Ｃ、４Ｄとを含むので、給電又は電気信号の伝送と、光信号（例えば、映像信号や制御信号等）を同時に伝送できる。特に、４本の光ケーブル４Ａ、４Ｂ、４Ｃ、４Ｄを含むことにより、光信号の送信容量を増大させることができる。例えば、２つのカメラ等で取得した映像信号を同時に伝送することができる。
【００３６】
以上、本発明の例示的な実施の形態のケーブル及びコネクタ付きケーブルについて説明したが、本発明は、具体的に開示された実施の形態に限定されるものではなく、特許請求の範囲から逸脱することなく、種々の変形や変更が可能である。
【符号の説明】
【００３７】
１００  ケーブル
１  芯線
２Ａ、２Ｂ  給電線
３Ａ、３Ｂ  ダミー線
４Ａ、４Ｂ、４Ｃ、４Ｄ  光ケーブル
５Ａ、５Ｂ、５Ｃ、５Ｄ  介在部
６  吸水テープ
７  外被部
２００  コネクタ
２１０  本体部
２１１  端子
２２０  蓋部
２２１  開口部
【図１】
2011228054.tif 000003
【図２】
2011228054.tif 000004